【事件の表示】
　平成　５年特許願第５１４１６３号「オペレータが選択可能な制御パラメータを遠心機に入力する際に用いるインタフェース方法」拒絶査定不服審判事件〔平成　５年　８月１９日国際公開、ＷＯ９３／１５８４４、平成　７年　４月２０日国内公表、特表平　７−５０３６５４〕について、次のとおり審決する。
【結　論】
　本件審判の請求は、成り立たない。
【理　由】
１．手続の経緯・本願発明
　本願は、１９９３年２月２日（パリ条約による優先権主張外国庁受理１９９２年２月７日、米国）を国際出願日として出願され、拒絶査定がなされ、平成１５年２月２４日付けで拒絶査定不服審判が請求されたものである。その後、当審において、請求人に対して所定の期間を指定して前記拒絶査定の内容に関して回答を求める審尋したところ、請求人からの応答はなかった。
　本願の請求項１に係る発明（以下、「本願発明」という。）は、平成１４年７月２２日付けの手続補正書により補正された明細書及び図面の記載からみて、その特許請求の範囲請求項１に記載される次のとおりのものである。
「遠心機の運転パラメータに対する値を示す方法であって、前記運転パラメータの値がN桁の有効数字であり、該N桁の有効数字は第１サブセットのｎ個の有効数字と第２サブセットの有効数字であり、ｎ＜Nである方法において、
　（ａ）前記第１サブセットの有効数字の値を第１乗数の積として表示するステップと、
　（ｂ）前記第２サブセットの有効数字のうちの１つを受け取って開始するステップであって、前記第２サブセットの各数字を受け取ったとき、前記第１サブセットの各数字を、前記第２サブセットの数字とともに、第２の異なる乗数の積として表示するステップと
を備えたことを特徴とする方法。」
　
２．引用文献に記載される事項
　原査定の拒絶の理由に引用された、本願の優先権主張の日前に明らかに頒布された刊行物である特開平１−１８９３６０号公報（以下、「引用文献１」という。）には、以下の事項が記載される。
(2-1-1)「第３図は従来の遠心分離機の操作パネルの構成図、・・・第３図・・・において、１は温度表示器、２はそのスイッチ、３は回転数表示器、４はそのスイッチ、５は時間表示器、６はそのスイッチ」（第１頁右欄１７行−第２頁左上欄１行）
(2-1-2)「第５図は・・・従来の通常運転時の操作手順を示すもので、例えば回転数を設定するには、スイッチ４を押し、テンキー１４で所望の回転数を入力して、エンタースイッチ１５で登録する。温度や運転時間についても同様にスイッチ２、６およびテンキー１４エンタースイッチ１５を押してそれらを設定し、スタートスイッチ１０を押して運転を開始するようにしている。」（第２頁左上欄１２−１９行）
(2-1-3)第３図は従来の遠心分離機の操作パネルの構成図であり、第３図からは、遠心分離機の操作パネルには、１で示される温度表示器、３で示される回転数表示器、５で示される時間表示器、１４で示されるテンキー等が配置されていることが把握される。
　
　また、同様に、原査定の拒絶の理由に引用された、本願の優先権主張の日前に明らかに頒布された刊行物である「特開昭５６−１１６１４０号公報」（以下、「引用文献２」という。）には、以下の事項が記載される。
(2-2-1)「・・・表示器ＤＩＳに「１２，０００」が表示される。・・・ここで、
３
４
５
６
７
８
(2-2-2)第２図（Ｂ）は本発明電気機器の操作例と表示例の説明図であり、第２図（Ｂ）からは、「表示器ＤＩＳが「１２，０００」となった後に、キー操作
３
４
５
６
７
　
３．当審の判断
　引用文献１の上記摘示箇所(2-1-1)ないし(2-1-3)からは、遠心分離機の操作に関して、以下の手順で行わることが把握できる。
「遠心分離機の操作パネル上の回転数表示器スイッチを押した後に、所望の回転数を入力し、温度数表示器スイッチを押した後に、所望の温度を入力し、運転時間表示器スイッチを押した後に、所望の温度を入力する操作」
　斯かる操作手順で、敢えて、表示器スイッチを押した後に、所望の回転数等を入力していることからいって、入力した回転数等の値は、遠心分離機の表示器に表示させることが窺える。また、「回転数」や「温度」、「運転時間」とは、遠心分離機の「運転パラメータ」のことであるから、引用文献１には、「運転パラメータを入力し、その値を表示させる遠心分離機」が記載されるといえる。
　
　一方、引用文献２には、電気機器のキー操作と表示との関係が説明され、上記摘示箇所(2-2-1)及び(2-1-2)からは、『キー操作
３
４
５
６
　加えて、（ｉ）段階における「入力された数字の値はそのまま表示」するとの事項は、「入力された数字の値を１の積として表示」するといえるので、以上整理すると、引用文献２には、以下の発明（以下、「引用文献２発明」という。）が記載されるといえる。
「電気機器に数値の表示させる方法であって、
（ｉ）　キー操作３回までの段階であり、この段階でのキー操作により入力された数字の値を１の積として表示し且つ前段階で入力された数字の値を１，０００の積として表示する段階と、
（ｉｉ）　（ｉ）段階に続く段階であり、（ｉ）段階での３回のキー操作により入力された数字をこの段階でのキー操作により入力された数字とともに、１００の積として表示し且つ前段階で入力された数字の値を１，０００，０００の積として表示する段階
を備える電気機器に数値の表示させる方法」
　ここにおいて、本願発明と引用文献２発明を対比すると、引用文献２発明の「（ｉ）　キー操作３回までの段階であり、この段階でのキー操作により入力された数字の値を１の積として表示し且つ前段階で入力された数字の値を１，０００の積として表示する段階」は、本願発明の「（ａ）前記第１サブセットの有効数字の値を第１乗数の積として表示するステップ」において、第１サブセットを３個の有効数字とし、第１乗数を１とし且つ表示の際には前段階で入力された数字も同時に表示した場合に当たる特定の態様であるといえ、引用文献２発明の「（ｉｉ）　（ｉ）段階に続く段階であり、（ｉ）段階での３回のキー操作により入力された数字をこの段階でのキー操作により入力された数字とともに、１００の積として表示し且つ前段階で入力された数字の値を１，０００，０００の積として表示する段階」は、本願発明の「（ｂ）前記第２サブセットの有効数字のうちの１つを受け取って開始するステップであって、前記第２サブセットの各数字を受け取ったとき、前記第１サブセットの各数字を、前記第２サブセットの数字とともに、第２の異なる乗数の積として表示するステップ」において、第２サブセットを１個の有効数字とし、第２乗数を１００とし且つ表示の際には前段階で入力された数字も同時に表示した場合に当たる特定の態様であるといえる。また、斯かる特定の態様は、当然、表示させる桁数は第１サブセットの有効数字の３個より大きく、加えて、第１乗数と第２乗数は異なっているものであるので、本願発明と引用文献２発明は、
「N桁の有効数字の値を示す方法であって、該N桁の有効数字は第１サブセットのｎ個の有効数字と第２サブセットの有効数字であり、ｎ＜Nである方法において、
　（ａ）前記第１サブセットの有効数字の値を第１乗数の積として表示するステップと、
　（ｂ）前記第２サブセットの有効数字のうちの１つを受け取って開始するステップであって、前記第２サブセットの各数字を受け取ったとき、前記第１サブセットの各数字を、前記第２サブセットの数字とともに、第２の異なる乗数の積として表示するステップと
を備えたことを特徴とする方法。」である点で一致し、以下の点で相違する。
相違点：
　本願発明は、遠心機のＮ桁の運転パラメータの数値を表示するものであるのに対し、引用文献２発明は、電気機器に数値を表示するものである点
　
　次いで、相違点を検討するに、遠心機という機器においては、引用文献１に記載（引用文献１の「遠心分離機」は「遠心機」に相当する）されるように、運転パラメータを入力し、その値を表示させることは公知の技術であるので、引用文献２発明を、すなわち、一般の電気機器おいて利用される数値を表示する発明を、機器を特定した遠心機のＮ桁の運転パラメータの数値を表示する方法に適用することは、特に阻害事由もなく、当業者が容易になし得るものである。
　また、遠心機のＮ桁の運転パラメータの数値を表示する方法に適用したからといって、格別顕著な効果が生じるものでもない。
　
４．むすび
　したがって、本願発明は、引用文献１及び引用文献２に記載された発明に基づいて当業者が容易に発明をすることができたものであるので、特許法第２９条第２項の規定により特許をうけることができない。
　よって、結論のとおり審決する。